【事件の表示】
　特願２０１３−１５５１９５号「遊技機」拒絶査定不服審判事件〔平成２５年１２月１２日出願公開、特開２０１３−２４８４３４号〕について、次のとおり審決する。
【結　論】
　本件審判の請求は、成り立たない。
【理　由】
第１　手続の経緯 
　本願は、平成２３年１１月２１日に出願した特願２０１１−２５４２３６号の一部を平成２５年７月２６日に新たな特許出願である特願２０１３−１５５１９５号としたものであって、平成２６年５月１５日付で拒絶の理由が通知され、平成２６年７月１８日に意見書が提出されたところ、平成２６年８月４日付け（発送日：平成２６年８月１９日）で拒絶査定がなされ、これに対し、同年１１月１８日に拒絶査定不服審判の請求がなされるとともに、手続補正がなされたものである。
第２　平成２６年１１月１８日付けの手続補正についての補正却下の決定 
［補正却下の決定の結論］ 
　平成２６年１１月１８日付けの手続補正（以下「本件補正」という。）を却下する。 
［理由］ 
１　補正の内容 
　本件補正により、特許出願時の特許請求の範囲の請求項１は、
「【請求項１】
　各々を識別可能な複数種類の識別情報の可変表示を行う遊技機であって、
　複数種類の可変表示パターンから１の可変表示パターンを決定する可変表示パターン決定手段と、
　前記可変表示パターン決定手段によって決定された可変表示パターンにもとづいて、識別情報の可変表示を実行する可変表示実行手段と、
　識別情報の可変表示の実行中に所定の演出を実行する演出実行手段とを備え、
　前記演出実行手段は、前記所定の演出として、可変表示パターンの種類にかかわらず、識別情報の可変表示の実行中に共通の態様で実行される共通特定演出を実行可能であり、
　可変表示パターンの種類にかかわらず、識別情報の可変表示における所定契機からの経過時間ごとに前記共通特定演出を実行するか否かを決定するための決定用情報が設定された共通特定演出設定データにもとづいて、共通の処理により前記共通特定演出の実行タイミングを決定する実行タイミング決定手段をさらに備え、
　前記共通特定演出設定データは、可変表示パターンの種類に応じて前記共通特定演出を実行可能なタイミングの振り分けが異なる
　ことを特徴とする遊技機。」
から、
　平成２６年１１月１８日付けの手続補正の特許請求の範囲の請求項１の
「【請求項１】
　各々を識別可能な複数種類の識別情報の可変表示を行う遊技機であって、
　複数種類の可変表示パターンから１の可変表示パターンを決定する可変表示パターン決定手段と、
　前記可変表示パターン決定手段によって決定された可変表示パターンにもとづいて、識別情報の可変表示を実行する可変表示実行手段と、
　識別情報の可変表示の実行中に所定の演出を実行する演出実行手段とを備え、
　前記演出実行手段は、前記所定の演出として、可変表示パターンの種類にかかわらず、識別情報の可変表示の実行中に共通の態様で実行される共通特定演出を実行可能であり、
　可変表示パターンの種類にかかわらず、識別情報の可変表示
の開始時
　前記共通特定演出設定データは、可変表示パターンの種類に応じて前記共通特定演出を実行可能なタイミングの振り分けが異なる
　ことを特徴とする遊技機。」
に補正された（下線は、補正箇所を明示するために当審で付した。）。
２　補正の適否　　 
　本件補正により、請求項１の
「可変表示における所定契機」という記載は、
「可変表示
の開始時
　すなわち、補正後の請求項１は「可変表示における所定契機」の内容を下位概念である具体的な「可変表示
の開始時
　そうすると、補正後の請求項１に記載された発明は、特許法第１７条の２第５項第２号に規定する限定的減縮を目的とするものに該当する。
　また、補正後の請求項１に記載された発明は、補正前の請求項１に記載された発明と、産業上の利用分野及び解決しようとする課題が同一である。
　よって、本件補正は、特許法第１７条の２第５項第２号に規定する限定的減縮を目的とするものに該当する。 
　そして、本件補正は新規事項を追加するものではない。 
３　独立特許要件 
　そこで、本件補正後の請求項１に記載された発明（以下「本願補正発明」という。）が特許出願の際独立して特許を受けることができるものであるか否か（特許法第１７条の２第６項において準用する同法第１２６条第７項の規定に適合するか）について以下に検討する。 
（１）刊行物に記載された発明
　本願の出願日前に頒布された特開２００７−１３００７９号公報（以下「刊行物」という。）には、図面と共に次の事項が記載されている（下線は当審で付した。以下同じ。）。
 
（ａ）「【０００１】
　
本発明は
複数の識別図柄を表示する図柄表示装置を備えた遊技機
【背景技術】【発明が解決しようとする課題】
・・・
【０００４】
　そこで、
本発明は
３列の識別図柄が変動後、複数の予告タイミングのそれぞれにおいて
予告キャラクタを表示する
遊技機
【０００５】
　前記目的を達成するため請求項１に係る遊技機は、遊技領域に設けられて複数の識別図柄を表示する図柄表示装置と、前記各識別図柄が変動後、所定の態様を構成する特定図柄で停止した後、遊技者に有利な特別遊技状態が発生する遊技機において、前記複数の識別図柄の変動開始後、最終停止図柄が停止するまでの間に予め設定された複数の予告タイミングを記憶する予告タイミング記憶手段と、前記各予告タイミングに対応する複数の予告キャラクタを記憶する予告キャラクタ記憶手段と、前記複数の予告タイミングを合計した合計タイミング数に等しいビット数以上のビット数を有する２進数で構成されて、前記２進数の１桁目のビットは、前記複数の識別図柄の変動後、最初の予告タイミングに対応し、該２進数の２桁目以降から前記合計タイミング数に等しい桁までの各ビットは、最初の予告タイミング後の各予告タイミングに順次対応すると共に、該２進数の１桁目以降から前記合計タイミング数に等しい桁までの各ビットは、対応する予告タイミングで予告する場合には１に設定され、対応する予告タイミングで予告しない場合には０に設定された互いに異なる複数の予告タイミングデータを記憶する予告タイミングデータ記憶手段と、前記複数の予告タイミングデータから一の予告タイミングデータをランダムに選択する選択手段と、前記合計タイミング数に等しいビット数の２進数で構成されて、１桁目のビットを１に設定され、２桁目以降の各ビットを０に設定される比較データを記憶する比較データ記憶手段と、前記複数の識別図柄の変動開始後、最初の予告タイミングに対応して、前記選択手段によって選択された予告タイミングデータの前記合計タイミング数に等しいビット数の下位のビット列と前記比較データとの論理積を算出すると共に、最初の予告タイミング後の各予告タイミング毎に、該比較データの１桁目のビット値１を１つ上の桁に順次ビットシフトしたシフト比較データと前記下位のビット列との論理積を順次算出する論理積算出手段と、前記論理積算出手段によって順次算出される各算出値が「０」以外の場合に限り、該各算出値に対応する予告タイミングにおいて、該予告タイミングに対応する前記
予告キャラクタを
表示画面に順次表示して、前記複数の識別図柄の最終態様を予告報知する
（ｂ）「【００３７】
　次に、主制御基板２９０のＲＯＭ２９２の変動パターン決定テーブル記憶エリア２９２Ａに記憶される変動パターン決定テーブル７３について図１１に基づいて説明する。図１１は本実施例に係るパチンコ機１の主制御基板２９０のＲＯＭ２９２の変動パターン決定テーブル記憶エリア２９２Ａに記憶される変動パターン決定テーブルの一例を示す図である。
　図１１に示すように、
変動パターン決定テーブル７３は、大きく３つのパターン群により構成され、完全ハズレ変動パターン群（変動パターンコマンド１）と、リーチハズレ変動パターン群（変動パターンコマンド１１、変動パターンコマンド１２）と、大当り変動パターン群（変動パターンコマンド２１、変動パターンコマンド２２）とから構成されている。
（ｃ）「【００４０】
　次に、サブ統合制御基板２８０のＲＯＭ２８２の演出パターン選択テーブル記憶エリア２８２Ａに記憶される演出パターン選択テーブル７４の一例について図１２に基づいて説明する。ここで、演出パターン選択テーブル７４は、
サブ統合制御基板２８０のＣＰＵ２８１が主制御基板２９０のＣＰＵ２９１から指示情報（具体的には変動パターンコマンド及び最終停止図柄情報）を入力された場合に、演出表示基板２６０のＣＰＵ２６１に出力する（指示する）表示指示情報としての演出パターン（演出パターンコマンド）を選択する
【００４１】
　図１２に示すように、演出パターン選択テーブル７４は、主制御基板２９０のＣＰＵ２９１から入力された変動パターンの指示情報を表す「変動パターンコマンド」と、同じくＣＰＵ２９１から入力され、最終的な確定停止時に液晶表示器５２に表示する３列の各図柄を表す「最終停止図柄指示」と、ＣＰＵ２９１から変動パターンコマンドが入力された際に取得される演出パターン選択カウンタ２８３Ａのカウント値を表す「演出パターンカウント値」と、この「演出パターンカウント値」に対応する「演出パターンコマンド」とから構成されている。また、この「演出パターンコマンド」は、
演出表示基板２６０のＣＰＵ２６１
【００４２】
　
例えば、
「変動パターンコマンド」が「１」
カウント値が「０〜１３」であった場合には、演出パターンコマンド１Ａが選択される
演出パターンコマンド１Ａは、液晶表示器５２に表示される３列の
図柄が変動
表示させる
コマンドである
（ｄ）「【００５１】
　次に、サブ統合制御基板２８０のＲＯＭ２８２の予告対ムチャート記憶エリア２８２Ｄに記憶される各予告タイムチャート７７、７８の一例について図１５に基づいて説明する。ここで、
予告タイムチャート７７、７８は、サブ統合制御基板２８０のＣＰＵ２８１が、各予告タイミングにおいて、演出表示基板２６０のＣＰＵ２６１に出力する（指示する）予告指示のタイミングを決定する場合に使用する
【００５２】
　図１５（Ａ）に示すように、予告タイムチャート７７は、サブ統合制御基板２８０のＣＰＵ２８１が各演出パターンコマンド１１Ａ、１１Ｂ、２１Ａ、２１Ｂのうちのいずれかを演出表示基板２６０のＣＰＵ２６１に出力した場合に、ＣＰＵ２８１が、ＣＰＵ２６１に出力する（指示する）予告指示のタイミングを決定する際に使用するものである。
　この
予告タイムチャート７７は、３列の識別図柄の変動開始から最初の予告報知を行う第１タイミングである時間Ｔ１秒、次に予告報知を行う第２予告タイミングであるＴ２秒（第１図柄を停止させる時間でもある。）、その次に予告報知を行う第３予告タイミングであるＴ３秒、更に次に予告報知を行う第４予告タイミングであるＴ４秒（第２図柄を停止させる時間でもある。）、そして、第３図柄を停止させる時間Ｔ５秒から構成されている
　従って、後述のように、
ＣＰＵ２８１は、各演出パターンコマンド１１Ａ、１１Ｂ、２１Ａ、２１Ｂのうちのいずれかを演出表示基板２６０のＣＰＵ２６１に出力した場合には、液晶表示器５２の３列の識別図柄の変動開始後、各時間Ｔ１秒、Ｔ２秒（第１図柄停止時である。）、Ｔ３秒、Ｔ４秒（第２図柄停止時、即ちリーチ時である。）経過毎に、予告指示を行うか否かを決定する
【００５３】
　また、図１５（Ｂ）に示すように、予告タイムチャート７８は、サブ統合制御基板２８０のＣＰＵ２８１が各演出パターンコマンド１２Ａ、１２Ｂ、２２Ａ、２２Ｂのうちのいずれかを演出表示基板２６０のＣＰＵ２６１に出力した場合に、ＣＰＵ２８１が、ＣＰＵ２６１に出力する（指示する）予告指示のタイミングを決定する際に使用するものである。
　この
予告タイムチャート７８は、３列の識別図柄の変動開始から最初の予告報知を行う第１タイミングである時間Ｔ１１秒、次に予告報知を行う第２予告タイミングであるＴ１２秒（第１図柄を停止させる時間でもある。）、その次に予告報知を行う第３予告タイミングであるＴ１３秒、更に次に予告報知を行う第４予告タイミングであるＴ１４秒（第２図柄を停止させる時間でもある。）、そして、第３図柄を停止させる時間Ｔ１５秒から構成されている
　従って、後述のように、
ＣＰＵ２８１は、各演出パターンコマンド１２Ａ、１２Ｂ、２２Ａ、２２Ｂのうちのいずれかを演出表示基板２６０のＣＰＵ２６１に出力した場合には、液晶表示器５２の３列の識別図柄の変動開始後、各時間Ｔ１１秒、Ｔ１２秒（第１図柄停止時である。）、Ｔ１３秒、Ｔ１４秒（第２図柄停止時、即ちリーチ時である。）経過毎に、予告指示を行うか否かを決定する
（ｅ）「【００７３】
　次に、
変動パターン選択処理（Ｓ３）のサブ処理
　図２１に示すように、先ず、Ｓ３１において、ＣＰＵ２９１は、ＲＡＭ２９３から変動処理中フラグを読み出し、該変動処理中フラグがＯＮか否か、即ち「１」か否かを判定する判定処理を実行する。尚、パチンコ機１の起動時又はリセット時には、変動処理中フラグには「０」が代入されてＲＡＭ２９３に記憶されている。
　そして、Ｓ３１でＲＡＭ２９３から読み出した変動処理中フラグがＯＮの場合、即ち「１」の場合には（Ｓ３１：ＹＥＳ）、ＣＰＵ２９１は、当該サブ処理を終了してメインフローチャートに戻る。
【００７４】
　一方、Ｓ３１でＲＡＭ２９３から読み出した変動処理中フラグがＯＦＦの場合、即ち「０」の場合には（Ｓ３１：ＮＯ）、Ｓ３２おいて、ＣＰＵ２９１は、パラメータ記憶エリア２９３Ｋから大当たり代数Ｑを読み出し、この大当たり代数Ｑが「０」か「１」か判定し、即ち、「大当たり」が発生したか否かを判定し、大当たりが発生したと判定した場合、即ち大当たり代数Ｑが「１」の場合には（Ｓ３２：ＹＥＳ）、Ｓ３３の処理に移行する。
【００７５】
　続いて、Ｓ３３において、
ＣＰＵ２９１は、
変動パターン決定テーブル７３の大当たり変動パターン群からサブ統合制御基板２８０のＣＰＵ２８１に指示情報として出力する変動パターンコマンドを選択
　例えば、パラメータ記憶エリア２９３Ｋから読み出した変動パターン選択カウンタ２９３Ｈのカウント値が「０〜３９」のうちのいずれかである場合には、ＣＰＵ２９１は、変動パターンコマンド２１を選択して、サブ統合制御基板２８０のＣＰＵ２８１に出力する指示情報としてＲＡＭ２９３に記憶する。
　また、パラメータ記憶エリア２９３Ｋから読み出した変動パターン選択カウンタ２９３Ｈのカウント値が「４０〜９９」のうちのいずれかである場合には、ＣＰＵ２９１は、変動パターンコマンド２２を選択して、サブ統合制御基板２８０のＣＰＵ２８１に出力する指示情報としてＲＡＭ２９３に記憶する。
【００７６】
　一方、Ｓ３２において、
ＣＰＵ２９１は、
　そして、Ｓ３４において、ＣＰＵ２９１は、パラメータ記憶エリア２９３Ｋから変動パターン選択カウンタ２９３Ｈのカウント値としての代数Ｈを読み出し、各カウント値に基づいて
変動パターン決定テーブル７３の完全ハズレ変動パターン群とリーチハズレ変動パターン群とからサブ統合制御基板２８０のＣＰＵ２８１に指示情報として出力する変動パターンコマンドを選択
（ｆ）「【０１００】
　次に、上記Ｓ２１０の「
タイムチャート選択処理
　図２６に示すように、Ｓ２２１において、ＣＰＵ２８１は、予告パターン選択カウンタ２８３Ｂのカウント値を読み出し、このカウント値を予告パターン代数Ｇに代入してＲＡＭ２８３のパラメータ記憶エリア２８３Ｃに記憶する。
　尚、ＣＰＵ２８１は、上記Ｓ２０２の処理において、ＣＰＵ２９１から変動パターンコマンドが入力された際の予告パターン選択カウンタ２８３Ｂのカウント値を読み出し、このカウント値を予告パターン代数Ｇに代入してＲＡＭ２８３のパラメータ記憶エリア２８３Ｃに記憶するようにしてもよい。
・・・
【０１０２】
　また、Ｓ２２３において、ＣＰＵ２８１は、ＣＰＵ２６１に出力した演出パターンコマンドをＲＡＭ２８３から読み出し、この演出パターンコマンドに対応する予告タイムチャートをＲＯＭ２８２から読み出し、各予告時間Ｔ１〜Ｔ４、又は各予告時間Ｔ１１〜Ｔ１４をＲＡＭ２８３に記憶する。
　例えば、ＲＡＭ２８３から読み出した
演出パターンコマンドが、各演出パターンコマンド１１Ａ、１１Ｂ、２１Ａ、２１Ｂのいずれかの場合には、ＣＰＵ２８１は、ＲＯＭ２８２から予告タイムチャート７７を読み出し、各予告時間Ｔ１、Ｔ２、Ｔ３、Ｔ４（秒）を予告報知を行う予告タイミングとし
　また、ＲＡＭ２８３から読み出した
演出パターンコマンドが、各演出パターンコマンド１２Ａ、１２Ｂ、２２Ａ、２２Ｂのいずれかの場合には、ＣＰＵ２８１は、ＲＯＭ２８２から予告タイムチャート７８を読み出し、各予告時間Ｔ１１、Ｔ１２、Ｔ１３、Ｔ１４（秒）を予告報知を行う予告タイミングとし
【０１０３】
　そして、Ｓ２２４において、ＣＰＵ２８１は、ＣＰＵ２６１に出力した演出パターンコマンドに対応する演出表示時間、即ち液晶表示器５２に表示される複数の変動図柄の変動時間の計測を開始する。
　続いて、Ｓ２２５において、ＣＰＵ２８１は、ＲＡＭ２８３から予告回数代数Ｎを読み出し、この予告回数代数Ｎに「１」を代入して再度ＲＡＭ２８３に記憶後、当該サブ処理を終了してメインフローチャートに戻る。」
（ｇ）「【０１２１】
　次に、上記Ｓ３２３の「予告表示処理１」のサブ処理について図３１に基づいて説明する。
　図３１に示すように、Ｓ３４１において、
ＣＰＵ２６１は
　そして、３列の各第１・第２・第３図柄の変動表示を開始してからＲＯＭ２６２に予め記憶する第１予告タイミングの時間になった場合には（Ｓ３４１：ＹＥＳ）、ＣＰＵ２６１は、Ｓ３４２の処理に移行する。
　Ｓ３４２において、ＣＰＵ２６１は、サブ統合制御基板２８０のＣＰＵ２８１から「第１予告タイミング」の予告指示が入力されたか否かを判定する判定処理を実行する。
【０１２２】
　そして、「
第１予告タイミング
の予告指示が入力された場合には
キャラクタテーブル選択代数Ｌの数値
に対応する
第１予告タイミング
の予告キャラクタを
液晶表示器５２の表示画面の上端部から下方に降下するように表示
　
例えば
キャラクタテーブル選択代数Ｌの数値が「５」の場合には
予告キャラクタＡを液晶表示器５２の表示画面の上端部から下方に降下するように表示
キャラクタテーブル選択代数Ｌの数値が「８」の場合には
予告キャラクタＤを読み込み、この予告キャラクタＤを液晶表示器５２の表示画面の上端部から下方に降下するように表示
・・・
【０１２４】
  また、Ｓ３４５において、ＣＰＵ２６１は、サブ統合制御基板２８０のＣＰＵ２８１から「第２予告タイミング」の予告指示が入力されたか否かを判定する判定処理を実行する。
  そして、「
第２予告タイミング
の予告指示が入力された場合には
キャラクタテーブル選択代数Ｌの数値
対応する
第２予告タイミング
の予告キャラクタを
液晶表示器５２の表示画面の上端部から下方に降下するように表示
  
例えば
キャラクタテーブル選択代数Ｌの数値が「５」の場合には
予告キャラクタＢを液晶表示器５２の表示画面の上端部から下方に降下するように表示
キャラクタテーブル選択代数Ｌの数値が「８」の場合には
予告キャラクタＣを液晶表示器５２の表示画面の上端部から下方に降下するように表示
・・・
【０１２６】
  そして、「
第３予告タイミング
の予告指示が入力された場合には
キャラクタテーブル選択代数Ｌの数値
に対応する
第３予告タイミング
の予告キャラクタを
液晶表示器５２の表示画面の上端部から下方に降下するように表示
  
例えば
キャラクタテーブル選択代数Ｌの数値が「５」の場合には
予告キャラクタＣを液晶表示器５２の表示画面の上端部から下方に降下するように表示
キャラクタテーブル選択代数Ｌの数値が「８」の場合には
予告キャラクタＢを液晶表示器５２の表示画面の上端部から下方に降下するように表示
・・・
【０１２８】
  また、Ｓ３５１において、ＣＰＵ２６１は、サブ統合制御基板２８０のＣＰＵ２８１から「第４予告タイミング」の予告指示が入力されたか否かを判定する判定処理を実行する。
  そして、「
第４予告タイミング
の予告指示が入力された場合には
キャラクタテーブル選択代数Ｌの数値
に対応する
第４予告タイミング
の予告キャラクタを
液晶表示器５２の表示画面の上端部から下方に降下するように表示
  例えば、ＲＡＭ２６３から読み出した
キャラクタテーブル選択代数Ｌの数値が「５」の場合には
予告キャラクタＤを液晶表示器５２の表示画面の上端部から下方に降下するように表示
キャラクタテーブル選択代数Ｌの数値が「８」の場合には
予告キャラクタＡを液晶表示器５２の表示画面の上端部から下方に降下するように表示
（ｈ）「【０１３７】
　次に、サブ統合制御基板２８０のＣＰＵ２８１が、上記Ｓ２０６の処理で大当たりの演出パターンコマンド「２２Ｂ」を選択し、上記Ｓ２２２の処理で２進数４ビットの「予告ビット列」として「１０１１」をＲＡＭ２８３に記憶後、当該演出パターンコマンド「２２Ｂ」と最終停止図柄「７７７」を含む演出表示指示情報を演出表示基板２６０のＣＰＵ２６１に出力し、ＣＰＵ２６１がこの演出表示指示情報を受信時に、キャラクタテーブル選択カウンタ２６３Ａのカウント値「５」をキャラクタテーブル選択代数Ｌに代入してＲＡＭ２６３に記憶した場合に、
液晶表示器５２の表示画面に表示される変動表示の一例
図３４及び図３５に基づいて説明
【０１３８】
　図３４（Ａ）に示すように、先ず、３列の各第１・第２・第３図柄の変動表示が開始される。
　そして、図３４（Ｂ）に示すように、
３列の各第１・第２・第３図柄の変動表示を開始してから演出パターンコマンド「２２Ｂ」に対応する第１予告タイミングの予告時間Ｔ１１秒（図１５参照）になると
液晶表示器５２の表示画面の左端側上端部から予告キャラクタＡが降下して、表示画面の下端部に停止表示される
３列の各第１・第２・第３図柄の変動表示は、継続される
（ｉ）前記（ｂ）の段落【００３７】、前記（ｃ）の段落【００４０】、前記（ｅ）の段落【００７４】〜【００７６】及び【図１１】から、
主制御基板２９０のＣＰＵ２９１は、変動パターン決定テーブル７３の大当たり変動パターン群、または、完全ハズレ変動パターン群とリーチハズレ変動パターン群とからからサブ統合制御基板２８０のＣＰＵ２８１に指示情報として出力する１つの変動パターンコマンド（１、１１、１２、２１、２２のいずれか）を選択する
（ｊ）前記（ｃ）の段落【００４０】及び【図１２】から、
サブ統合制御基板２８０のＣＰＵ２８１は、主制御基板２９０のＣＰＵ２９１から変動パターンコマンドを入力された場合に、当該変動パターンコマンド（１、１１、１２、２１、２２）に対応する演出表示基板２６０のＣＰＵ２６１に出力する演出パターンコマンド（１Ａ、１１Ａ、１１Ｂ、１２Ａ、１２Ｂ、２１Ａ、２１Ｂ、２２Ａ、２２Ｂ）を選択す
（ｋ）前記前記（ｃ）の段落【００４０】、（ｄ）の段落【００５２】〜【００５３】、（ｇ）の段落【０１２１】〜【０１２８】から、
演出表示基板２６０のＣＰＵ２６１は、演出パターンコマンドのうち１１Ａ、１１Ｂ、１２Ａ、１２Ｂ、２１Ａ、２１Ｂ、２２Ａ、２２Ｂの種類にかかわらず、演出パターンコマンドに対応する第１から第４の予告タイミングの時間になった場合には、キャラクタテーブル選択代数Ｌの数値に対応する予告タイミングの予告キャラクタＡ〜Ｄを液晶表示器５２の表示画面の上端部から下方に降下するように表示する
（ｌ）前記（ｈ）の記載事項及び【図３４】、【図３５】から、
予告キャラクタＡ〜Ｄの表示が、３列の図柄の変動表示中に行われる
       
（ｍ）前記（ｄ）の段落【００５１】〜【００５３】から、
予告タイムチャートは、３列の識別図柄の変動開始から最初の予告報知を行う第１タイミングである時間、次に予告報知を行う第２予告タイミング、その次に予告報知を行う第３予告タイミング、更に次に予告報知を行う第４予告タイミングから構成され
サブ統合制御基板２８０のＣＰＵ２８１は、予告タイムチャートを使用して、各予告タイミングにおいて、演出表示基板２６０のＣＰＵ２６１に出力する（指示する）予告指示のタイミングを決定する
（ｎ）前記（ｆ）の段落【０１０２】及び【図１５】から、
予告タイムチャート７７及び７８は、それぞれ、演出パターンコマンド１１Ａ、１１Ｂ、２１Ａ、２１Ｂのいずれかの場合及び演出パターンコマンド１２Ａ、１２Ｂ、２２Ａ、２２Ｂのいずれかの場合に対応しており、予告報知を行う予告タイミングが、Ｔ１、Ｔ２、Ｔ３、Ｔ４（秒）と Ｔ１１、Ｔ１２、Ｔ１３、Ｔ１４（秒）とで異なっている
　上記の記載事項（ａ）〜（ｈ）及び（ｉ）〜（ｎ）の認定事項を総合すると、刊行物には、次の発明が記載されていると認められる（以下「引用発明」という。）。 
「複数の識別図柄を表示する図柄表示装置を備え、３列の識別図柄が変動後、複数の予告タイミングのそれぞれにおいて予告キャラクタを表示して、前記複数の識別図柄の最終態様を予告報知する遊技機であって、
　変動パターン決定テーブル７３の大当たり変動パターン群、または、完全ハズレ変動パターン群とリーチハズレ変動パターン群とからサブ統合制御基板２８０のＣＰＵ２８１に指示情報として出力する１つの変動パターンコマンド（１、１１、１２、２１、２２のいずれか）を選択する主制御基板２９０のＣＰＵ２９１と、
　主制御基板２９０のＣＰＵ２９１から変動パターンコマンドを入力された場合に、当該変動パターンコマンド（１、１１、１２、２１、２２）に対応する演出表示基板２６０のＣＰＵ２６１に出力する演出パターンコマンド（１Ａ、１１Ａ、１１Ｂ、１２Ａ、１２Ｂ、２１Ａ、２１Ｂ、２２Ａ、２２Ｂ）を選択するサブ統合制御基板２８０のＣＰＵ２８１と、
　演出表示基板２６０のＣＰＵ２６１と、を備え、
　演出パターンコマンドは、液晶表示器５２に表示される３列の図柄を変動表示させるコマンドであり、
　演出表示基板２６０のＣＰＵ２６１は、演出パターンコマンドのうち１１Ａ、１１Ｂ、１２Ａ、１２Ｂ、２１Ａ、２１Ｂ、２２Ａ、２２Ｂの種類にかかわらず、演出パターンコマンドに対応する第１から第４の予告タイミングの時間になった場合には、キャラクタテーブル選択代数Ｌの数値に対応する予告タイミングの予告キャラクタＡ〜Ｄを液晶表示器５２の表示画面の上端部から下方に降下するように表示し、
　当該予告キャラクタＡ〜Ｄの表示は、３列の図柄の変動表示中に行われ、
　サブ統合制御基板２８０のＣＰＵ２８１は、３列の識別図柄の変動開始から最初の予告報知を行う第１タイミングである時間、次に予告報知を行う第２予告タイミング、その次に予告報知を行う第３予告タイミング、更に次に予告報知を行う第４予告タイミングから構成される予告タイムチャートを使用して、各予告タイミングにおいて、演出表示基板２６０のＣＰＵ２６１に出力する（指示する）予告指示のタイミングを決定するものであり、
　予告タイムチャート７７及び７８は、それぞれ、演出パターンコマンド１１Ａ、１１Ｂ、２１Ａ、２１Ｂのいずれかの場合及び演出パターンコマンド１２Ａ、１２Ｂ、２２Ａ、２２Ｂのいずれかの場合に対応しており、予告報知を行う予告タイミングが、Ｔ１、Ｔ２、Ｔ３、Ｔ４（秒）と Ｔ１１、Ｔ１２、Ｔ１３、Ｔ１４（秒）とで異なっている遊技機。」
（２）対比・判断１
　本願補正発明と引用発明とを対比する。 
ア　引用発明の「複数の識別図柄」及び「識別図柄が変動」することは、それぞれ、本願補正発明の「各々を識別可能な複数種類の識別情報」及び「識別情報の可変表示を行う」ことに相当する。
  
イ　前記アより、引用発明の「変動」は、本願発明の「可変表示」に相当するから、引用発明の「変動パターン」は、本願補正発明の「可変表示パターン」に相当する。
　このことから、引用発明の「変動パターン決定テーブル７３の大当たり変動パターン群、または、完全ハズレ変動パターン群とリーチハズレ変動パターン群とからサブ統合制御基板２８０のＣＰＵ２８１に指示情報として出力する１つの変動パターンコマンド（１、１１、１２、２１、２２のいずれか）を選択する主制御基板２９０のＣＰＵ２９１」は、本願補正発明の「複数種類の可変表示パターンから１の可変表示パターンを決定する可変表示パターン決定手段」に相当する。
ウ　引用発明の「演出パターンコマンドは、液晶表示器５２に表示される３列の図柄を変動表示させるコマンド」であり、この「液晶表示器５２に表示される３列の図柄を変動表示させる」ことは、本願補正発明の「識別情報の可変表示を実行する」ことに相当する。
　このことから、引用発明の「主制御基板２９０のＣＰＵ２９１から変動パターンコマンドを入力された場合に、当該変動パターンコマンド（１、１１、１２、２１、２２）に対応する演出表示基板２６０のＣＰＵ２６１に出力する演出パターンコマンド（１Ａ、１１Ａ、１１Ｂ、１２Ａ、１２Ｂ、２１Ａ、２１Ｂ、２２Ａ、２２Ｂ）を選択するサブ統合制御基板２８０のＣＰＵ２８１」は、本願補正発明の「前記可変表示パターン決定手段によって決定された可変表示パターンにもとづいて、識別情報の可変表示を実行する可変表示実行手段」に相当する。
エ　引用発明の「予告キャラクタＡ〜Ｄ」は、「演出パターンコマンドのうち１１Ａ、１１Ｂ、１２Ａ、１２Ｂ、２１Ａ、２１Ｂ、２２Ａ、２２Ｂの種類」及びこれら演出パターンコマンドに対応する「変動パターンコマンド」のうち１１、１２、２１、２２の種類にかかわらず、「演出パターンコマンドに対応する第１から第４の予告タイミングの時間になった場合には、キャラクタテーブル選択代数Ｌの数値に対応する予告タイミングの予告キャラクタＡ〜Ｄを液晶表示器５２の表示画面の上端部から下方に降下するように表示」するという共通の態様で行われるものである。
　また、引用発明の「予告キャラクタＡ〜Ｄ」の表示は、「３列の図柄の変動表示中に行われ」るものである。
　以上のことから、引用発明の「予告キャラクタＡ〜Ｄ」の「表示」は、本願発明の「可変表示パターンの種類にかかわらず、識別情報の可変表示の実行中に共通の態様で実行される共通特定演出」に相当する。
オ　前記エより、引用発明の「演出パターンコマンドに対応する第１から第４の予告タイミングの時間になった場合には、キャラクタテーブル選択代数Ｌの数値に対応する予告タイミングの予告キャラクタＡ〜Ｄを液晶表示器５２の表示画面の上端部から下方に降下するように表示する」「演出表示基板２６０のＣＰＵ２６１」は、本願補正発明の「識別情報の可変表示の実行中に所定の演出を実行する演出実行手段」であって、「前記所定の演出として、可変表示パターンの種類にかかわらず、識別情報の可変表示の実行中に共通の態様で実行される共通特定演出を実行可能」な「演出実行手段」に相当する。
カ　引用発明は、「予告タイミングのそれぞれにおいて予告キャラクタを表示して、前記複数の識別図柄の最終態様を予告報知する」ものであるから、「予告キャラクタ」を表示することにより「予告報知」を行っているといえる。
　そうすると、前記エより、引用発明の「予告報知」は、本願補正発明の「共通特定演出」に相当する。
キ　引用発明の「３列の識別図柄の変動開始から最初の予告報知を行う第１タイミングである時間、次に予告報知を行う第２予告タイミング、その次に予告報知を行う第３予告タイミング、更に次に予告報知を行う第４予告タイミング」である「Ｔ１、Ｔ２、Ｔ３、Ｔ４（秒）」や「Ｔ１１、Ｔ１２、Ｔ１３、Ｔ１４（秒）」は、「予告報知」を行うタイミングであり、「演出表示基板２６０のＣＰＵ２６１に出力する（指示する）予告指示のタイミングを決定するもの」であるから、前記カより、本願補正発明の「識別情報の可変表示の開始時からの経過時間ごとに前記共通特定演出を実行するか否かを決定するための決定用情報」に相当する。
ク　引用発明の「予告タイムチャート」は、「演出パターンコマンド」及び演出パターンコマンドに対応する「変動パターンコマンド」の種類にかかわらず、いずれも「３列の識別図柄の変動開始から最初の予告報知を行う第１タイミングである時間、次に予告報知を行う第２予告タイミング、その次に予告報知を行う第３予告タイミング、更に次に予告報知を行う第４予告タイミングから構成される」ものであるから、前記キより、本願補正発明の「可変表示パターンの種類にかかわらず、識別情報の可変表示の開始時からの経過時間ごとに前記共通特定演出を実行するか否かを決定するための決定用情報が設定された共通特定演出設定データ」に相当する。
ケ　引用発明の「３列の識別図柄の変動開始から最初の予告報知を行う第１タイミングである時間、次に予告報知を行う第２予告タイミング、その次に予告報知を行う第３予告タイミング、更に次に予告報知を行う第４予告タイミングから構成される予告タイムチャートを使用して、各予告タイミングにおいて、演出表示基板２６０のＣＰＵ２６１に出力する（指示する）予告指示のタイミングを決定する」「サブ統合制御基板２８０のＣＰＵ２８１」は、「演出パターンコマンド」及び演出パターンコマンドに対応する「変動パターンコマンド」の種類にかかわらず、いずれの場合にも「予告タイムチャートを使用して、各予告タイミングにおいて、演出表示基板２６０のＣＰＵ２６１に出力する（指示する）予告指示のタイミングを決定する」という共通の処理を行うものであるから、前記クより、本願補正発明の「可変表示パターンの種類にかかわらず、識別情報の可変表示の開始時からの経過時間ごとに前記共通特定演出を実行するか否かを決定するための決定用情報が設定された共通特定演出設定データにもとづいて、共通の処理により前記共通特定演出の実行タイミングを決定する実行タイミング決定手段」に相当する。
　なお、本願補正発明の「可変表示パターンの種類にかかわらず、識別情報の可変表示の開始時からの経過時間ごとに前記共通特定演出を実行するか否かを決定するための決定用情報が設定された共通特定演出設定データにもとづいて、共通の処理により前記共通特定演出の実行タイミングを決定する実行タイミング決定手段」という構成について、「可変表示パターンの種類にかかわらず」は、「設定された」に係るとも「決定する」に係るとも解釈できるが、平成２６年１１月１８日の審判請求書の３．（４）における「本願発明が「可変表示パターンの種類にかかわらず」共通特定演出設定データが設定されているのに対して、引用文献１に記載された発明では、「演出パターンコマンドの種類に応じて」タイムチャートを選択するものとなっている点で、大きく構成が異なっている。」、「そこで、本願発明では、特に上記の（ｆ）の構成を備えることによって、共通特定演出設定データが、可変表示パターンの種類にかかわらず、識別情報の可変表示の開始時からの経過時間ごとに共通特定演出を実行するか否かを決定するための決定用情報が設定されたものとして構成されている」という主張から「可変表示パターンの種類にかかわらず、・・・決定用情報が設定された」に係るものと解釈して、引用発明との対比を行った。
コ　引用発明の「予告タイムチャート７７及び７８」は、それぞれ、「演出パターンコマンド１１Ａ、１１Ｂ、２１Ａ、２１Ｂのいずれかの場合及び演出パターンコマンド１２Ａ、１２Ｂ、２２Ａ、２２Ｂのいずれかの場合に対応しており、予告報知を行う予告タイミングが、Ｔ１、Ｔ２、Ｔ３、Ｔ４（秒）と Ｔ１１、Ｔ１２、Ｔ１３、Ｔ１４（秒）とで異なっている」から、「演出パターンコマンド１１Ａ、１１Ｂ、２１Ａ、２１Ｂ」に対応する「変動パターンコマンド（１１、２１）」と「演出パターンコマンド１２Ａ、１２Ｂ、２２Ａ、２２Ｂ」に対応する「変動パターンコマンド（１２、２２）」とに応じて、予告報知を行う予告タイミングが異なっているといえる。
　そうすると、前記クより、引用発明の「予告タイムチャート７７及び７８は、それぞれ、演出パターンコマンド１１Ａ、１１Ｂ、２１Ａ、２１Ｂのいずれかの場合及び演出パターンコマンド１２Ａ、１２Ｂ、２２Ａ、２２Ｂのいずれかの場合に対応しており、予告報知を行う予告タイミングが、Ｔ１、Ｔ２、Ｔ３、Ｔ４（秒）と Ｔ１１、Ｔ１２、Ｔ１３、Ｔ１４（秒）とで異なっている」ことは、本願補正発明の「共通特定演出設定データは、可変表示パターンの種類に応じて前記共通特定演出を実行可能なタイミングの振り分けが異なる」ことに相当する。
　前記ア〜コより、本願補正発明と引用発明とは、
［一致点］
「各々を識別可能な複数種類の識別情報の可変表示を行う遊技機であって、
　複数種類の可変表示パターンから１の可変表示パターンを決定する可変表示パターン決定手段と、
　前記可変表示パターン決定手段によって決定された可変表示パターンにもとづいて、識別情報の可変表示を実行する可変表示実行手段と、
　識別情報の可変表示の実行中に所定の演出を実行する演出実行手段とを備え、
　前記演出実行手段は、前記所定の演出として、可変表示パターンの種類にかかわらず、識別情報の可変表示の実行中に共通の態様で実行される共通特定演出を実行可能であり、
　可変表示パターンの種類にかかわらず、識別情報の可変表示の開始時からの経過時間ごとに前記共通特定演出を実行するか否かを決定するための決定用情報が設定された共通特定演出設定データにもとづいて、共通の処理により前記共通特定演出の実行タイミングを決定する実行タイミング決定手段をさらに備え、
　前記共通特定演出設定データは、可変表示パターンの種類に応じて前記共通特定演出を実行可能なタイミングの振り分けが異なる
　遊技機。」
である点で一致し、相違点はない。
（３）対比・判断２
　ここで、仮に、本願補正発明の「前記共通特定演出設定データは、可変表示パターンの種類に応じて前記共通特定演出を実行可能なタイミングの振り分けが異なる」という構成が、【発明を実施するための形態】の【図３５】のように、「可変表示パターンの種類」毎に「前記共通特定演出を実行可能なタイミングの振り分けが異なる」ものを示すものと解釈した場合についても、検討する。
　本願補正発明を上記のように解釈すると、本願補正発明と引用発明とは、以下の点で相違する。
［相違点］
　「共通特定演出設定データ」について、本願補正発明では、「可変表示パターンの種類毎に前記共通特定演出を実行可能なタイミングの振り分けが異なる」のに対し、引用発明では、２つの場合における可変表示パターン（変動パターンコマンド（１１、２１）の場合と変動パターンコマンド（１２、２２）の場合）で、共通特定演出を実行可能なタイミングの振り分けが異なるにすぎない点。
［相違点についての判断］
　上記相違点について検討するに、個々の可変表示パターンについて、それぞれ、どのようなタイミングでどのような演出を行うかは、演出の内容を決める当業者が適宜に採用する設計的事項であり、引用発明においても、「可変表示パターンの種類毎に前記共通特定演出を実行可能なタイミングの振り分けが異なる」ようにして、前記相違点に係る構成とすることは、当業者であれば容易に想到し得たことである。
　そして、本願補正発明が奏する作用効果は、タイムチャートに予告タイミングを設定している引用発明に基づいて、当業者が予測できる範囲内のものである。
（４）まとめ
　上記（２）から、本願補正発明は、引用発明と同一であり、刊行物である特開２００７−１３００７９号公報に記載された発明であるから、特許法第２９条第１項第３号の規定により特許を受けることができない。また、上記（３）から、本願補正発明を、【発明を実施するための形態】に記載されているように解釈して、引用発明と差異があったとしても、本願補正発明は、当該引用発明に基づいて当業者であれば容易に想到し得たものであるから、特許法第２９条第２項の規定により特許を受けることができない。
（５）審判請求人の主張について 
　平成２６年１１月１８日の審判請求書の３．（４）において、請求人は、「本願発明が「可変表示パターンの種類にかかわらず」共通特定演出設定データが設定されているのに対して、引用文献１に記載された発明では、「演出パターンコマンドの種類に応じて」タイムチャートを選択するものとなっている点で、大きく構成が異なっている」（以下「主張Ａ」という。）、また「本願発明の共通特定演出設定データは、識別情報の可変表示の開始時からの経過時間ごとに決定用情報が設定されたものであるのに対して、引用文献１に記載された発明のタイムチャートは、そのような構成とはなっていない点で、大きく構成が異なっている」（以下「主張Ｂ」という。）と主張しているが、主張Ａについては前記（２）クで、主張Ｂについては前記（２）キ及びクで検討したとおりであり、これら請求人の主張は採用することができない。
（６）結論
　以上のとおりであるから、本願補正発明は、特許法第２９条第１項第３号または特許法第２９条第２項の規定により特許出願の際独立して特許を受けることができない。
４　むすび 
　よって、本件補正は、特許法第１７条の２第６項において準用する同法第１２６条第７項の規定に違反するので、同法第１５９条第１項において読み替えて準用する同法第５３条第１項の規定により却下すべきものである。 
第３　本願発明について 
１　本願発明
　本件補正は上記第２のとおり却下されたので、本願の請求項１に係る発明（以下「本願発明」という。）は、平成２５年７月２６日付けの特許請求の範囲に記載された事項により特定される次のとおりのものである。 
「【請求項１】
　各々を識別可能な複数種類の識別情報の可変表示を行う遊技機であって、
　複数種類の可変表示パターンから１の可変表示パターンを決定する可変表示パターン決定手段と、
　前記可変表示パターン決定手段によって決定された可変表示パターンにもとづいて、識別情報の可変表示を実行する可変表示実行手段と、
　識別情報の可変表示の実行中に所定の演出を実行する演出実行手段とを備え、
　前記演出実行手段は、前記所定の演出として、可変表示パターンの種類にかかわらず、識別情報の可変表示の実行中に共通の態様で実行される共通特定演出を実行可能であり、
　可変表示パターンの種類にかかわらず、識別情報の可変表示における所定契機からの経過時間ごとに前記共通特定演出を実行するか否かを決定するための決定用情報が設定された共通特定演出設定データにもとづいて、共通の処理により前記共通特定演出の実行タイミングを決定する実行タイミング決定手段をさらに備え、
　前記共通特定演出設定データは、可変表示パターンの種類に応じて前記共通特定演出を実行可能なタイミングの振り分けが異なる
　ことを特徴とする遊技機。」
２　刊行物に記載された発明 
　刊行物の記載事項及び引用発明は、上記第２　３（１）に記載したとおりである。 
３　対比・判断 
　本願発明は、上記第２　２で検討した本願補正発明の「可変表示の開始時」という発明特定事項を、「可変表示における所定契機」という上位概念の発明特定事項にしたものである。そうすると、本願発明と引用発明とを比較すると、両者は、前記第２　３（２）で検討したとおり、相違点はないか、本願発明を【発明を実施するための形態】に記載されているように解釈したとしても、上記第２　３（３）で挙げた相違点で差異があるにすぎない。
　よって、本願発明は、引用発明と同一であり、刊行物である特開２００７−１３００７９号公報に記載された発明であるから、特許法第２９条第１項第３号の規定により特許を受けることができない。また、本願発明を【発明を実施するための形態】に記載されているように解釈し、引用発明と差異があるものとしても、本願補正発明は、当該引用発明に基づいて当業者であれば容易に想到し得たものであるから、特許法第２９条第２項の規定により特許を受けることができない。
４．むすび 
　以上のとおりであるから、本願発明は、特許法第２９条第１項第３号または特許法第２９条第２項の規定により特許を受けることができない。 
　したがって、本願は拒絶すべきである。　 
　よって、結論のとおり審決する。